(57)【要約】      （修正有）【課題】介護者への着衣及び脱衣作業を容易に行うことができる介護用ズボンを提供する。【解決手段】前身頃２Ｌ，２Ｒと後身頃とからなるズボン本体１と、このズボン本体１に設けた縦方向の開閉部６Ｌ，６Ｒとを備えた介護用ズボンにおいて、開閉部に該開閉部６Ｌ，６Ｒを開閉する面ファスナ１１，１１Ａ，１２，１２Ａを設けたから、面ファスナ１１，１１Ａ，１２，１２Ａにより開閉部の開閉を簡便に行うことができる。また、開閉部６Ｌ，６Ｒに間隔をおいて複数の面ファスナ１２，１２Ａ，１３，１３Ａを設け、間隔をおいて隣合う面ファスナ１２，１２Ａ，１３，１３Ａの少なくとも一組の色が異なるから、隣合う面ファスナ１２，１２Ａ，１３，１３Ａの位置を間違えることなく、対応する面ファスナ１２，１２Ａ，１３，１３Ａ同士を接合することができる。【選択図】図１
0003161078.tif 000002
【実用新案登録請求の範囲】
【請求項１】
前身頃と後身頃とからなるズボン本体と、このズボン本体に設けた縦方向の開閉部とを備えた介護用ズボンにおいて、前記開閉部に該開閉部を開閉する面ファスナを設けたことを特徴とする介護用ズボン。
【請求項２】
前記開閉部に間隔をおいて複数の面ファスナを設け、間隔をおいて隣合う面ファスナの少なくとも一組の色が異なることを特徴とする請求項１記載の介護用ズボン。
【請求項３】
前記ズボン本体は、股部の下に左右の筒状脚部を有し、前記前身頃の略中央に上部から股部に連続する中央の前記開閉部を設け、この中央の開閉部と連続して左右下側の前記開閉部を前記左右の脚部に設け、それら中央の前記開閉部と左右下側の前記開閉部にそれぞれ複数の前記面ファスナを間隔をおいて設けたことを特徴とする請求項１記載の介護用ズボン。
【請求項４】
前記左右の脚部の裾部は、前記前身頃と後身頃とを連結して筒状に形成されていることを特徴とする請求項３記載の介護用ズボン。
【請求項５】
前記ズボン本体は、股部の下に左右の筒状脚部を有し、前記前身頃の略中央に上部から股部に連続する中央の前記開閉部を設け、この中央の前記開閉部と連続して左右下側の前記開閉部を前記左右の脚部の全長に設け、前記中央の前記開閉部と前記左右下側の前記開閉部に前記面ファスナを設けたことを特徴とする請求項１記載の介護用ズボン。
【請求項６】
股部用の一方の前記面ファスナを、前記前身頃の股部の前面に設け、前記後身頃の股部から下方に延設した延設片を設け、この延設片の前面に股部用の他方の前記面ファスナを設け、それら股部用の一方及び他方の前記面ファスナの係止状態で前記延設片が前記前身頃と後身頃の股部間を連結するように構成したことを特徴とする請求項５記載の介護用ズボン。
【請求項７】
前記中央の開閉部に間隔をおいて複数の面ファスナを設け、間隔をおいて隣合う面ファスナの少なくとも一組の色が異なることを特徴とする請求項３〜６のいずれか１項に記載の介護用ズボン。
【請求項８】
前記面ファスナは略方形をなし、その角部を面取りしたことを特徴とする請求項１〜７のいずれか１項に記載の介護用ズボン。
【請求項９】
前記面ファスナの外周を曲線により形成したことを特徴とする請求項１〜８のいずれか１項に記載の介護用ズボン。
【請求項１０】
前記中央の前記開閉部に、少なくとも上下一方が開いた袋部を形成し、この袋部に上下に間隔をおいて複数の開口部を設け、前記袋部内に前記複数の開口部に跨る面ファスナを着脱自在に設けたことを特徴とする請求項１〜９のいずれか１項に記載の介護用ズボン。
【請求項１１】
前記袋部は、前記開閉部の縁部を折り返して重ね合わせ、縁から離れた前記重ね合わせ部分を縫着してなり、前記袋部の下部を閉塞し、前記袋部の上部に、面ファスナを抜き差し可能な挿入開口部を設けたことを特徴とする請求項１０記載の介護用ズボン。
【請求項１２】
前記中央の前記開閉部は、左右の前身頃の一方の縁部と他方の縁部とを前後に重ね合わせ、一方の縁部と他方の縁部の対向する面に一方と他方の面ファスナを設け、股部位置の前記一方の縁部の前面に一方の股部用面ファスナを設けると共に、前記一方の股部用面ファスナに係脱する他方の股部用面ファスナを前記後身頃の股部に設け、前記他方の股部用面ファスナは、間隔をおいて隣り合う前記左右下側の開閉部の面ファスナと色が異なることを特徴とする請求項３記載の介護用ズボン。
【考案の詳細な説明】
【技術分野】
【０００１】
本考案は、介護用ズボンに関し、特に、身体が不自由な人や寝たきりの人等に好適な介護用ズボンに関する。
【背景技術】
【０００２】
従来、この種のものとして、上着の左右脇側下端から袖口および／あるいは首回りから袖口までを連続する開閉ラインを設け、この開閉ラインに一対のスライダーを備えたダブルファスナーを取り付けて、上記スライダーを両端から中央側へと引くことにより開閉ラインを開ける構成としている介護用衣類（例えば特許文献１）が提案されている。
【０００３】
上記介護用衣類では、ファスナを開くことにより、前身頃と後身頃を分離できるため、衣類の装着が容易となる。しかし、ファスナを閉める際には、ファスナを合わせる作業が必要となり、介護者の向きなどを変えることが困難な場合、ファスナを合わせる作業が煩雑となる面がある。
【０００４】
また、ファスナを閉めると、前身頃と後身頃の合わせ目から手を入れて介護することが出来なくなるため、不便である。これに対して、通気性を確保するために合わせ目にマチを設けることは知られているが、従来のマチでは手を入れて作業するには不向きである。
【０００５】
さらに、前身頃と後身頃とをボタンにより連結する場合も、介護者が姿勢を変えることが出来ない場合、作業が煩雑となることが予想される。また、ボタンを用いた場合、掛け違いが起こることも懸念される。
【先行技術文献】
【特許文献】
【０００６】
【特許文献１】実用新案登録第３０６４９５号公報
【考案の開示】
【考案が解決しようとする課題】
【０００７】
そこで、本考案は、上記問題点を解決するものであり、介護者への着衣及び脱衣作業を容易に行うことができる介護用ズボンを提供することを目的とし、加えて、装着感の良い介護用ズボンを提供することを目的とする。
【課題を解決するための手段】
【０００８】
請求項１の考案は、前身頃と後身頃とからなるズボン本体と、このズボン本体に設けた縦方向の開閉部とを備えた介護用ズボンにおいて、前記開閉部に該開閉部を開閉する面ファスナを設けたことを特徴とする。
【０００９】
請求項２の考案は、前記開閉部に間隔をおいて複数の面ファスナを設け、間隔をおいて隣合う面ファスナの少なくとも一組の色が異なることを特徴とする。
【００１０】
請求項３の考案は、前記ズボン本体は、股部の下に左右の筒状脚部を有し、前記前身頃の略中央に上部から股部に連続する中央の前記開閉部を設け、この中央の開閉部と連続して左右下側の前記開閉部を前記左右の脚部に設け、それら中央の前記開閉部と左右下側の前記開閉部にそれぞれ複数の前記面ファスナを間隔をおいて設けたことを特徴とする。
【００１１】
請求項４の考案は、前記左右の脚部の裾部は、前記前身頃と後身頃とを連結して筒状に形成されていることを特徴とする。
【００１２】
請求項５の考案は、前記ズボン本体は、股部の下に左右の筒状脚部を有し、前記前身頃の略中央に上部から股部に連続する中央の前記開閉部を設け、この中央の前記開閉部と連続して左右下側の前記開閉部を前記左右の脚部の全長に設け、前記中央の前記開閉部と前記左右下側の前記開閉部に前記面ファスナを設けたことを特徴とする。
【００１３】
請求項６の考案は、股部用の一方の前記面ファスナを、前記前身頃の股部の前面に設け、前記後身頃の股部から下方に延設した延設片を設け、この延設片の前面に股部用の他方の前記面ファスナを設け、それら股部用の一方及び他方の前記面ファスナの係止状態で前記延設片が前記前身頃と後身頃の股部間を連結するように構成したことを特徴とする。
【００１４】
請求項７の考案は、前記中央の開閉部に間隔をおいて複数の面ファスナを設け、間隔をおいて隣合う面ファスナの少なくとも一組の色が異なることを特徴とする。
【００１５】
請求項８の考案は、前記面ファスナは略方形をなし、その角部を面取りしたことを特徴とする。
【００１６】
請求項９の考案は、前記面ファスナの外周を曲線により形成したことを特徴とする。
【００１７】
請求項１０の考案は、前記中央の前記開閉部に、少なくとも上下一方が開いた袋部を形成し、この袋部に上下に間隔をおいて複数の開口部を設け、前記袋部内に前記複数の開口部に跨る面ファスナを着脱自在に設けたことを特徴とする。
【００１８】
請求項１１の考案は、前記袋部は、前記開閉部の縁部を折り返して重ね合わせ、縁から離れた前記重ね合わせ部分を縫着してなり、前記袋部の下部を閉塞し、前記袋部の上部に、面ファスナを抜き差し可能な挿入開口部を設けたことを特徴とする。
【００１９】
請求項１２の考案は、前記中央の前記開閉部は、左右の前身頃の一方の縁部と他方の縁部とを前後に重ね合わせ、一方の縁部と他方の縁部の対向する面に一方と他方の面ファスナを設け、股部位置の前記一方の縁部の前面に一方の股部用面ファスナを設けると共に、前記一方の股部用面ファスナに係脱する他方の股部用面ファスナを前記後身頃の股部に設け、前記他方の股部用面ファスナは、間隔をおいて隣り合う前記左右下側の開閉部の面ファスナと色が異なることを特徴とする。
【考案の効果】
【００２０】
請求項１の考案によれば、面ファスナにより開閉部の開閉を簡便に行うことができる。
【００２１】
また、請求項２の考案によれば、隣合う面ファスナの位置を間違えることなく、対応する面ファスナ同士を接合することができる。
【００２２】
また、請求項３の考案によれば、前身頃の中央の開閉部と左右の脚部の開閉部とを連続して開くことにより、着衣及び脱衣作業を容易に行うことができる。
【００２３】
また、請求項４の考案によれば、筒状の裾部を着用者の足に通すことにより、安定した着用感が得られる。
【００２４】
また、請求項５の考案によれば、ズボンを前身頃において中央の開閉部から左右に全開することができ、着用者への着衣及び脱衣作業を容易に行うことができる。
【００２５】
また、請求項６の考案によれば、前身頃において中央の開閉部から左右に全開することができるズボンにおいて、着用時には、前身頃と後身頃の股部間を延設片により連結することができる。
【００２６】
また、請求項７の考案によれば、隣合う面ファスナの位置を間違えることなく、対応する面ファスナ同士を接合することができる。
【００２７】
また、請求項８の考案によれば、角部が面取りされているから、角部が体に当たることがなく、装着感に優れる。
【００２８】
また、請求項９の考案によれば、外周が曲線により形成されているから、角部が体に当たることがなく、装着感に優れる。
【００２９】
また、請求項１０の考案によれば、面ファスナを取り外すことができ、取り外してズボンを洗濯したり、面ファスナを交換することができ、また、角部が体に当たることもない。
【００３０】
また、請求項１１の考案によれば、袋部を簡便に形成することができると共に、袋部の上部から面ファスナを容易に挿入することができ、また、抜け落ちることもない。
【００３１】
また、請求項１２の考案によれば、間違い易い中央下部の股部用面ファスナ同士を目視により間違いなく連結することができる。
【図面の簡単な説明】
【００３２】
【図１】本考案の実施例１を示す左右下側の開閉部を開いた正面図である。
【図２】同上、正面図である。
【図３】同上、股部の拡大正面図である。
【図４】同上、中央と左右下側の開閉部を開いた正面図である。
【図５】同上、中央と左右下側の開閉部を開き、右の前身頃を展開した正面図である。
【図６】本考案の実施例２を示す延設片を垂らした状態の正面図である。
【図７】同上、正面図である。
【図８】同上、中央の開閉部を開いた正面図である。
【図９】同上、展開図である。
【図１０】本考案の実施例３を示す面ファスナの正面図である。
【図１１】本考案の実施例４を示す面ファスナの正面図である。
【図１２】本考案の実施例５を示す開閉部の要部の正面図である。
【図１３】同上、開閉部の断面説明図である。
【考案を実施するための形態】
【００３３】
本考案における好適な実施の形態について、添付図面を参照しながら詳細に説明する。なお、以下に説明する実施の形態は、特許請求の範囲に記載された本考案の内容を限定するものではない。また、以下に説明される構成の全てが、本考案の必須要件であるとは限らない。各実施例では、従来とは異なる新規な介護用ズボンを採用することにより、従来にない介護用ズボンが得られ、その介護用ズボンについて記述する。
【実施例１】
【００３４】
以下、本考案の実施例を添付図面を参照して説明する。
【００３５】
図１〜図５は本考案の実施例１を示し、同図に示すように、介護用ズボンは前開きの長ズボンタイプとしており、男女のどちらにも適用できるものである。前記ズボン本体１は、中央部に開閉部１Ａを設けた左右一対の前身頃２Ｌ，２Ｒと、後身頃３とからなり、布地から形成されている。
【００３６】
前身頃２Ｌ，２Ｒと後身頃３は、左右で縫着して連結され、股部４の下方に左右の脚部５Ｌ，５Ｒを有する。また、前記股部４から左右の脚部５Ｌ，５Ｒの内側には、左右下側の開閉部６Ｌ，６Ｒを設け、これら開閉部６Ｌ，６Ｒの上端は前記開閉部１Ａの下端に連続する。また、それら開閉部６Ｌ，６Ｒの下端は、脚部５Ｌ，５Ｒの下端の裾部７に伸び、この裾部７において前身頃２Ｌ，２Ｒと後身頃３とが縫着して連結され、その裾部７は筒状をなす。
【００３７】
前記中央の開閉部１Ａにおいて、左右の前身頃２Ｌ，２Ｒの縁部８Ｌ，８Ｒが重ね合わされ、それら縁部８Ｌ，８Ｒの下端が前記股部４の中心に向くように縁部８Ｌ，８Ｒの下部は左側に曲がっている。また、前記縁部８Ｌの前面に複数の一方の面ファスナ１１を間隔をおいて設け、それら複数の一方の面ファスナ１１に対応して、前記縁部８Ｒの後面に複数の他方の面ファスナ１１Ａを設け、それら面ファスナ１１，１１Ａは係脱可能なものである。
【００３８】
また、前記下側の開閉部６Ｌ，６Ｒにおいて、前記前身頃２Ｌ，２Ｒの外面には、複数の一方の面ファスナ１２が間隔をおいて配置されている。一方、前記下側の開閉部６Ｌ，６Ｒにおいて、後身頃３の下縁には、帯状部２１を縫着し、図２に示すように、帯状部２１は両側の開閉部６Ｌ，６Ｒに連続して設けられ、その帯状部２１の前面に、前記複数の一方の面ファスナ１２に対応して、複数の他方の面ファスナ１２Ａを設け、それら面ファスナ１２，１２Ａは係脱可能なものである。
【００３９】
さらに、前記縁部８Ｒの前面で前記股部４位置に、股部用の一方の面ファスナ１３を設け、この一方の面ファスナ１３に係脱する股部用の他方の面ファスナ１３Ａを前記帯状部２１の前面略中央に設けている。
【００４０】
また、図１に示すように、前記股部用の他方の面ファスナ１３Ａは隣合う他の他方の面ファスナ１２Ａと異なる色に形成され、その股部用の他方の面ファスナ１３Ａと前記股部用の一方の面ファスナ１３とが略同じ色に設定されている。
【００４１】
このように本実施例では、請求項１に対応して、前身頃２Ｌ，２Ｒと後身頃３とからなるズボン本体１と、このズボン本体１に設けた縦方向の開閉部１Ａ，６Ｌ，６Ｒとを備えた介護用ズボンにおいて、開閉部１Ａに該開閉部１Ａ，６Ｌ，６Ｒを開閉する面ファスナ１１，１１Ａ，１２，１２Ａを設けたから、面ファスナ１１，１１Ａ，１２，１２Ａにより開閉部１Ａの開閉を簡便に行うことができる。
【００４２】
また、このように本実施例では、請求項２に対応して、開閉部６Ｌ，６Ｒに間隔をおいて複数の面ファスナ１２，１２Ａ，１３，１３Ａを設け、間隔をおいて隣合う面ファスナ１２，１２Ａ，１３，１３Ａの少なくとも一組の色が異なるから、隣合う面ファスナ１２，１２Ａ，１３，１３Ａの位置を間違えることなく、対応する面ファスナ１２，１２Ａ，１３，１３Ａ同士を接合することができる。
【００４３】
また、このように本実施例では、請求項３に対応して、ズボン本体１は、股部４の下に左右の筒状脚部５Ｌ，５Ｒを有し、前身頃２Ｌ，２Ｒの略中央に上部から股部４に連続する中央の開閉部１Ａを設け、この中央の開閉部１Ａと連続して左右下側の開閉部６Ｌ，６Ｒを左右の脚部５Ｌ，５Ｒに設け、それら中央の開閉部１Ａと左右下側の開閉部６Ｌ，６Ｒにそれぞれ複数の面ファスナ１１，１１Ａ，１２，１２Ａを間隔をおいて設けたから、前身頃２Ｌ，２Ｒの中央の開閉部１Ａと左右の脚部５Ｌ，５Ｒの開閉部６Ｌ，６Ｒとを連続して開くことにより、着衣及び脱衣作業を容易に行うことができる。
【００４４】
また、このように本実施例では、請求項４に対応して、左右の脚部５Ｌ，５Ｒの裾部７，７は、前身頃２Ｌ，２Ｒと後身頃３とを連結して筒状に形成されているから、筒状の裾部７，７を着用者の足に通すことにより、安定した着用感が得られる。
【００４５】
また、このように本実施例では、請求項１２に対応して、中央の開閉部１Ａは、左右の前身頃２Ｌ，２Ｒの一方の縁部８Ｒと他方の縁部８Ｌとを前後に重ね合わせ、一方の縁部８Ｒと他方の縁部８Ｌの対向する面に一方と他方の面ファスナ１１Ａ，１１を設け、股部４位置の一方の縁部８Ｒの前面に一方の股部用面ファスナ１３を設けると共に、一方の股部用面ファスナ１３に係脱する他方の股部用面ファスナ１３Ａを後身頃３の股部４に設け、他方の股部用面ファスナ１３Ａは、間隔をおいて隣り合う左右下側の開閉部６Ｌ，６Ｒの面ファスナ１２Ａと色が異なるから、間違い易い中央下部の股部用面ファスナ１３，１３Ａ同士を目視により間違いなく連結することができる。
【実施例２】
【００４６】
図６〜図９は本考案の実施例２を示し、上記実施例１と同一部分に同一符号を付し、その詳細な説明を省略して詳述すると、この例の介護用ズボンは前開きの短パンタイプとしており、ズボン本体１の中央の開閉部１Ａは、前身頃２Ｌ，２Ｒの上から下に連続に設けられている。複数の面ファスナ１１，１１Ａが設けられ、これら複数の面ファスナ１１，１１Ａは、上から下に交互に異なる色に設定されている。尚、中央の開閉部１Ａにおいて、縁部８Ｒに縁部８Ｌが重ね合わされ、縁部８Ｒの前面に前記面ファスナ１1が設けられ、縁部８Ｌの後面に前記面ファスナ１１Ａが設けられている。
【００４７】
また、脚部５Ｌ，５Ｒは短く、開閉部６Ｌ，６Ｒは脚部５Ｌ，５Ｒの全長に形成され、開閉部１Ａ，６Ｌ，６Ｒにおいて前身頃２Ｌ，２Ｒが分離可能となっており、筒状に縫着により連結された部分はない。
【００４８】
前身頃２Ｌ，２Ｒの股部４には、前記縁部８Ｌの前面に、一方の面ファスナ１４を設ける。また、前記後身頃３の股部には下方に向かって延設片２２を設け、この延設片２２の前面に、前記一方の面ファスナ１４に係脱する他方の面ファスナ１４Ａを設ける。
【００４９】
したがって、面ファスナ１１，１１Ａにより中央の開閉部１Ａを閉め、面ファスナ１２，１２Ａにより左右下側の開閉部６Ｌ，６Ｒを閉める。この状態で、延設片２２を前側上部に折り返すようにして面ファスナ１４，１４Ａ同士を係止し、係止状態の延設片２２により前身頃２Ｌ，２Ｒと後身頃３の股部４間を連結することができる。
【００５０】
このように本実施例においても、上記実施例１と同様な作用・効果を奏する。
【００５１】
また、このように本実施例では、請求項５に対応して、ズボン本体１は、股部４の下に左右の筒状脚部５Ｌ，５Ｒを有し、前身頃２Ｌ，２Ｒの略中央に上部から股部４に連続する中央の開閉部１Ａを設け、この中央の開閉部１Ａと連続して左右下側の開閉部６Ｌ，６Ｒを左右の脚部５Ｌ，５Ｒの全長に設け、中央の開閉部１Ａと左右下側の開閉部６Ｌ，６Ｒに面ファスナ１１，１１Ａ，１２，１２Ａを設けたから、ズボンを前身頃２Ｌ，２Ｒにおいて中央の開閉部１Ａから左右に全開することができ、着用者への着衣及び脱衣作業を容易に行うことができる。
【００５２】
また、このように本実施例では、請求項６に対応して、股部用の一方の面ファスナ１４を、前身頃２Ｌ，２Ｒの股部４の前面に設け、後身頃３の股部４から下方に延設した延設片２２を設け、この延設片２２の前面に股部用の他方の面ファスナ１４Ａを設け、それら股部用の一方及び他方の面ファスナ１４，１４Ａの係止状態で延設片２２が前身頃２Ｌ，２Ｒと後身頃３の股部４間を連結するように構成したから、前身頃２Ｌ，２Ｒにおいて中央の開閉部１Ａから左右に全開することができるズボンにおいて、着用時には、前身頃２Ｌ，２Ｒと後身頃３の股部４間を延設片２２により連結することができる。
【００５３】
また、このように本実施例では、請求項７に対応して、中央の開閉部１Ａに間隔をおいて複数の面ファスナ１１，１１Ａを設け、間隔をおいて隣合う面ファスナ１１，１１Ａの少なくとも一組の色が異なるから、隣合う面ファスナ１１，１１Ａの位置を間違えることなく、対応する面ファスナ１１，１１Ａ同士を接合することができる。
【実施例３】
【００５４】
図１０〜図１１は本考案の実施例３を示し、上記各実施例と同一部分に同一符号を付し、その詳細な説明を省略して詳述すると、この例では、略方形をなす前記面ファスナ１１，１１Ａ，１２，１２Ａ，１３，１３Ａ，１４，１４Ａの９０度以下の角部を無くすように加工している。
【００５５】
図１０では、面ファスナ１１，１１Ａ，１２，１２Ａ，１３，１３Ａ，１４，１４Ａの角部を面取りし、面取り部１５を形成したものを示す。
【００５６】
このように本実施例では、請求項８に対応して、面ファスナ１１，１１Ａ，１２，１２Ａ，１３，１３Ａ，１４，１４Ａは略方形をなし、その角部を面取りしたから、角部が体に当たることがなく、角部が当たる不快感を無くすことができる。
【００５７】
図１１では略丸型の面ファスナ１１，１１Ａ，１２，１２Ａ，１３，１３Ａ，１４，１４Ａを示し、その外周が曲線により構成されている。なお、丸型に限らず、楕円形や卵型などでもよい。
【００５８】
このように本実施例では、請求項９に対応して、面ファスナ１１，１１Ａ，１２，１２Ａ，１３，１３Ａ，１４，１４Ａの外周を曲線により形成したから、角部が体に当たることがなく、装着感に優れる。
【実施例４】
【００５９】
図１２〜図１３は本考案の実施例４を示し、上記各実施例と同一部分に同一符号を付し、その詳細な説明を省略して詳述すると、この例では、前記縁部７，７Ａに、袋部１６を形成する。この袋部１６は、例えば、縁部７，７Ａの布地を折返し、縫着部１７により縫着することにより形成され、下部は閉塞し、上部に開口部１８を設けている。この開口部１８から前記袋部１６内に、長尺な面ファスナ１１，１１Ａを着脱可能に挿入する。
【００６０】
また、前記袋部１７には、縁部７では、裏面側に開口部１８を設け、これに対応して縁部７Ａでは、表面側に開口部１８を設ける。尚、面ファスナ１１，１１Ａは係止部が開口部１８側になるように挿入することにより、１本の面ファスナ１１，１１Ａの係止部が複数の開口部１８に臨む。
【００６１】
したがって、開口部１８から露出する面ファスナ１１，１１Ａ同士を接合することができる。
【００６２】
また、面ファスナ１１，１１Ａは洗濯を繰り返すと硬くなる面があるが、取り外して洗濯をすることができ、さらに、交換することも可能となる。
【００６３】
尚、他の面ファスナ１２，１２Ａ，１３，１３Ａ，１４，１４Ａを袋部１６に挿入するようにすることができる。
【００６４】
このように本実施例では、請求項１０に対応して、開閉部１Ａに、少なくとも上下一方が開いた袋部１６を形成し、この袋部１６に間隔をおいて複数の開口部１９，１９を設け、袋部１６内に複数の開口部１９，１９に跨る面ファスナ１１，１１Ａを着脱自在に設けたから、ズボン本体１から面ファスナ１１，１１Ａを取り外すことができ、取り外してズボン本体１を洗濯したり、面ファスナ１１，１１Ａを交換することができ、また、角部が体に当たることもない。
【００６５】
このように本実施例では、請求項１１に対応して、袋部１６は、開閉部１Ａの縁部７，７Ａを折り返して重ね合わせ、縁から離れた前記重ね合わせ部分を縫着してなり、袋部１６の下部を閉塞し、袋部１６の上部に、面ファスナ１１，１１Ａを抜き差し可能な挿入開口部１８を設けたから、袋部１６を簡便に形成することができると共に、袋部１６の上部の挿入開口部１８から面ファスナ１１，１１Ａを容易に挿入することができ、また、抜け落ちることもない。
【００６６】
尚、本考案は、本実施例に限定されるものではなく、本考案の要旨の範囲内で種々の変形実施が可能である。例えば、各実施例において、面ファスナの色を変えてもよく、また、他の実施例で実施例５の構成を採用してもよい。
【符号の説明】
【００６７】
１  ズボン本体
１Ａ  中央の開閉部
２Ｌ，２Ｒ  前身頃
３  後身頃
４  股部
６Ｌ，６Ｒ  左右下側の開閉部
７  裾部
８Ｌ，８Ｒ  縁部
１１，１１Ａ  面ファスナ
１２，１２Ａ  面ファスナ
１３，１３Ａ  股部用の面ファスナ
１４，１４Ａ  股部用の面ファスナ
１５  面取り部
１６  袋部
２１  開口部
２２  延設片
【図１】
0003161078.tif 000003
【図２】
0003161078.tif 000004
【図３】
0003161078.tif 000005
【図４】
0003161078.tif 000006
【図５】
0003161078.tif 000007
【図６】
0003161078.tif 000008
【図７】
0003161078.tif 000009
【図８】
0003161078.tif 000010
【図９】
0003161078.tif 000011
【図１０】
0003161078.tif 000012
【図１１】
0003161078.tif 000013
【図１２】
0003161078.tif 000014
【図１３】
0003161078.tif 000015
【手続補正書】
【提出日】平成22年5月14日(2010.5.14)
【手続補正１】
【補正対象書類名】実用新案登録請求の範囲
【補正対象項目名】請求項１０
【補正方法】変更
【補正の内容】
【請求項１０】
前記中央の前記開閉部に、少なくとも上下一方が開いた袋部を形成し、この袋部に上下に間隔をおいて複数の開口部を設け、前記袋部内に前記複数の開口部に跨る面ファスナを着脱自在に設けたことを特徴とする請求項３又は５記載の介護用ズボン。